(57)【特許請求の範囲】
【請求項１】
水槽と、
前記水槽中で回転可能なドラムと、
前記水槽を支持する複数のサスペンションと、
これらを載置する台板と、
前記台板に立設された複数の支持台と、を有し、
前記サスペンションは、それぞれクッションを介して前記支持台に固定され、前記サスペンションの長手方向に対して交わる方向に振動可能であり、
少なくとも２つの前記支持台が補強部材により連結固定されており、前記補強部材は、前記支持台間に差し渡されていて梁として機能することを特徴とするドラム式洗濯機。
【請求項２】
前記支持台は、前記台板に設けられた台部と、クッションを介して前記サスペンションと前記台部を固定する支持板と、を有し、
前記支持板と、前記補強部材は、ネジにより前記台部に共締め固定されていることを特徴とする請求項１に記載のドラム式洗濯機。
【請求項３】
前記支持板と前記補強部材は一体的に構成されていることを特徴とする請求項２に記載のドラム式洗濯機。
【請求項４】
前記補強部材は、前記サスペンション取り付け位置に近い箇所を含む位置に配置されていることを特徴とする請求項１から３の何れか一項に記載のドラム式洗濯機。
【発明の詳細な説明】
【技術分野】
【０００１】
本発明の実施形態は、ドラム式洗濯機に関する。
【背景技術】
【０００２】
従来より、例えばドラム式洗濯機などの洗濯機において、水槽または外箱の振動を低減するために、ダンパやバネを備えるサスペンションを用いて水槽を支持する構成が採られていた。サスペンションのダンパによってロッドのストロークを抑制することにより、主として略鉛直方向の振動を低減し、サスペンションの取付け部において防振クッションを介して台板に取り付けることにより、主としてサスペンションの軸方向を回転中心としてサスペンション自体が旋回するような動きをする振動（すりこぎ運動）を抑制している。
【先行技術文献】
【特許文献】
【０００３】
【特許文献１】特開２０１０−２３６号公報
【発明の概要】
【発明が解決しようとする課題】
【０００４】
しかし、ダンパの減衰力を最適化したり、可変としたりするなどの対策では鉛直方向の振動を低減できても、すりこぎ運動のような横方向、水平方向の振動に対しては効果が十分ではなかった。
そこで、本実施形態は、すりこぎ運動のような横方向、水平方向の振動を効果的に低減することができるドラム式洗濯機を提供する。
【課題を解決するための手段】
【０００５】
実施形態に係るドラム式洗濯機は、水槽と、前記水槽中で回転可能なドラムと、前記水槽を支持する複数のサスペンションと、これらを載置する台板と、前記台板に立設された複数の支持台と、を有している。前記サスペンションは、それぞれクッションを介して前記支持台に固定され、前記サスペンションの長手方向に対して交わる方向に振動可能であり、少なくとも２つの前記支持台が補強部材により連結固定されており、前記補強部材は、前記支持台間に差し渡されていて梁として機能する。
【図面の簡単な説明】
【０００６】
【図１】第１実施形態によるドラム式洗濯機の概略構成を示す図
【図２】ドラム式洗濯機のドラム、サスペンション、及び台板の周辺部を抜き出して描いた図
【図３】サスペンション下部周辺を拡大して描いた図
【図４】第２実施形態に係るサスペンション下部周辺を拡大して描いた図
【図５】第３実施形態によるドラム式洗濯機のドラム及びサスペンションを抜き出して描いた図
【図６】サスペンション下部周辺を拡大して描いた図
【図７】第４実施形態に係るサスペンション下部周辺を拡大して描いた図
【発明を実施するための形態】
【０００７】
以下、複数の実施形態について図に基づいて説明する。実施形態の説明において実質的に同一の構成部位には同一の符号を付し、説明を省略する。
（第１実施形態）
図１に、第１実施形態に係るドラム式洗濯機１００の全体構造を示す。図１に示すように、ドラム式洗濯機１００は外箱１を外殻としている。この外箱１の前面部（図１において右側）の略中央部には、洗濯物出入口２が設けられ、出入口２には、これを開閉する扉３が設けられている。外箱１の前面部の上部には、操作パネル４が設けられており、その裏側（外箱１内）に運転制御用の制御装置５が設けられている。
【０００８】
外箱１の内部には、水槽６を配設している。水槽６は、軸方向が前後（図１において右左）の横軸円筒状を成すものであり、外箱１の台板４０上に、サスペンション７によって前上がりの傾斜状に弾性支持されている。
【０００９】
水槽６の背部には、モータ８が取付けられている。このモータ８は、例えば直流のブラシレスモータから成るもので、アウターロータ形であり、ロータ８ａの中心部に取付けた図示しない回転軸を、軸受ハウジング９を介して水槽６の内部に挿通している。
【００１０】
水槽６の内部には、ドラム１０が配設されている。ドラム１０は軸方向が前後の横軸円筒状を成すもので、後部の中心部で上記モータ８の回転軸の先端部に取付けることにより、水槽６と同軸の前上がりの傾斜状に支持されている。ドラム１０はモータ８により回転されるように構成され、これによりドラム１０は回転槽となり、モータ８はドラム１０をダイレクトに回転させるドラム駆動装置として機能する。
【００１１】
ドラム１０は回転軸心Ａを有しており、サスペンション７は、ドラム１０の回転軸心Ａを挟む左右の両側であって、水槽６の下方に位置している。台板４０はこれら水槽６、ドラム１０、サスペンション７等を下方から支持して載置している。
【００１２】
ドラム１０の周側部（胴部）には、小孔１１が全域にわたって多数（一部のみ図示）形成されている。ドラム１０及び水槽６は、ともに前面部に開口部１２，１３を有しており、そのうちの水槽６の開口部１３に、環状のベローズ１４を介して前記洗濯物出入口２が配置されている。この結果、洗濯物出入口２は、ベローズ１４、水槽６の開口部１３、及びドラム１０の開口部１２を介して、ドラム１０の内部に連なる構成となっている。
【００１３】
水槽６の最低部である底部の後部には、排水弁１５を介して、排水管１６が接続されている。又、水槽６の背部から上方を経て前方には、乾燥ユニット１７が配設されている。乾燥ユニット１７は、除湿器１８、送風装置１９、及び加熱装置２０を有しており、水槽６内の空気を吸気して除湿し、次いで加熱して、水槽６内に戻すように循環させ、これにより、洗濯物を乾燥させるようになっている。
【００１４】
図２はドラム１０、サスペンション７、及び台板４０の周辺の構成を説明するための図であり、理解しやすいように、ドラム式洗濯機１００のドラム１０、サスペンション７、及び台板４０の周辺を抜き出して描いた図である。図２において、左右は対称の構造であり、同様の構造を有している。ここでは、左のサスペンション７の構造について説明する。
【００１５】
図２に示すように、サスペンション７は、例えばオイルダンパー機構２２と圧縮コイルばね２３とを備えている。オイルダンパー機構２２の内部には、オイルやガスを封入したシリンダ２４と、シリンダ２４内に一端が挿入されたピストンロッド２５を備える。圧縮コイルばね２３は、ピストンロッド２５の下半部に巻装され、上部ばね座２６と下部ばね座２７間に張設されている。シリンダ２４の上端、及びピストンロッド２５の下端にはネジ部２４ａ及び２５ａが形成されており、ナット３１により締結されている。
【００１６】
サスペンション７は、その上端において、座板２８ａ、防振クッション２９ａ、取付板３０、防振クッション２９ｂ、および座板２８ｂを順に介挿した後、突出したネジ部２４ａにナット３１を緊締して締結することにより全体が固定されている。取付板３０は、水槽６下部の複数箇所に設けたボス部６ａに、ネジ３２を緊締することで、サスペンション７の上端部が水槽６に弾力的に取付固定されている。
【００１７】
サスペンション７は、その下端部において、座板３３ａ、防振クッション３４ａ、支持板４２ａ、防振クッション３４ｂ、および座板３３ｂを順に介挿した後、突出したネジ部２５ａにナット３１を緊締して締結することにより全体が固定されている。支持板４２ａは、例えば、サスペンション７を取付固定するための金具であり、台板４０に固定するためのネジ穴を有している（後述する支持板４２ｂ、４２ｃ、４２ｄにおいても同様）。
【００１８】
支持板４２ａは、台板４０に設けられた台部４１にネジ３６により固定されており、これによりサスペンション７の下端部は弾力的に台板４０に取付固定されている。台板４０に設けられた台部４１及び支持板４２ａを一体とした支持台４３ａと見做せば、サスペンション７は支持台４３ａに支持されて固定されている、と見ることができる。
【００１９】
図３は、図２のサスペンション７の下部の取付部周辺を拡大して描いた図である。左側のみを描いているが、右側も同じ構造であるため、これについての図示及び説明は省略する。支持板４２ａは、台部４１上において、補強部材４４０にネジ３６によって共締め固定されている。補強部材４４０は、台部４１上から右斜め下方に延伸し、台板４０上にネジ４６で固定されている。
【００２０】
補強部材４４０は、台部４１上部に平行な平行部４４０ａと、台板４０に平行な平行部４４０ｃと、平行部４４０ａ−平行部４４０ｃ間に位置する斜め部４４０ｂを有する。補強部材４４０は、例えば板状の形状を有する部材でもよく、棒状又は角材状の形状を有する部材でもよい。また、材質も合成樹脂や金属（例えば、ステンレス）など、必要に応じて採用できる。
【００２１】
補強部材４４０は、サスペンション７の取り付け位置に近い箇所を含む位置に配置されて取り付けられている。支持板４２ａは、台部４１上部において、補強部材４４０とネジ３６により共締めされている。補強部材４４０の他方の端は、台板４０にネジ４６により固定されている。平行部４４０ａ及び４４０ｃにより、補強部材４４０はより強固に台板４０上、及び台部４１上に固定される。
【００２２】
以上説明した構成によれば、補強部材４４０は、台部４１及び台板４０により三角形構造、すなわちトラス構造を構成している。これにより、サスペンション７が取り付けられる支持板４２ａ周りが構造的により強化された構造となり、この部分の弾性変形量を低減することができる。これによって、支持板４２ａは強固に固定されることになり、サスペンション７が横方向、水平方向に振動しても、支持板４２ａがそれに連れて動くことが低減され、振動エネルギーを確実に防振クッション３４ａ、３４ｂに吸収させることができる。
【００２３】
従って、防振クッション３４ａ、３４ｂによる振動低減効果を効果的に向上させることができ、これによって、例えば、すりこぎ運動のような横方向、水平方向の振動を効果的に抑制することができる。このように、本実施形態は、支持板４２ａに、支持板４２ａ及びその周辺の弾性変形を抑制する補強部材４４０を付加し、支持板４２ａの動きを効果的に抑制しようとするものである。
【００２４】
また、補強部材４４０は、サスペンション７取り付け箇所に近い位置に配置されて取り付けられている。これにより、サスペンション７及び支持板４２ａをより直接的に強固に固定することができるため、横方向、水平方向の振動をより効果的に抑制することができる。以上より、ドラム式洗濯機１００全体の振動が低振動となり、ひいては、ドラム式洗濯機１００の脱水性能を向上することができる。
【００２５】
（第２実施形態）
次に、第２実施形態について説明する。図４は、第２実施形態に係るドラム式洗濯機１００のサスペンション７下部の取り付け部を拡大して描いた図である。第１実施形態と同一の構成部位には同一の符号を付し、説明を省略する。左側のみを描いているが、右側も同じ構造であるため、右側の説明は省略する。
【００２６】
図４に示すように、第２実施形態では、支持板４２ｂと補強部材４４１は１つの部品として一体に構成されており、ネジ３６、ネジ４６により、台板４０、台部４１に固定されている。第１実施形態と同じく、補強部材４４１は、平行部４４１ａ、斜め部４４１ｂ、平行部４４１ｃを有しており、台板４０、台部４１及び補強部材４４１（斜め部４４１ｂ）によりトラス構造を構成している。
【００２７】
本実施形態は、支持板４２ｂに、支持板４２の周辺の弾性変形を抑制する補強部材４４０を付加し、支持板４２ｂの動きを効果的に抑制しようとするものである。台板４０に設けられた台部４１及び支持板４２ｂを一体とした支持台４３ｂと見做せば、サスペンション７は支持台４３ｂに支持されて固定されている、と見ることができる。
【００２８】
以上の構成によれば、第１実施形態と同様の効果を得ることができる。さらに、支持板４２ｂと補強部材４４１が一体的に構成されたことにより、より横方向の振動が伝達ロスなく確実に低減される。これにより、ドラム式洗濯機１００はより低振動となり、脱水性能の向上を図ることができる。また、支持板４２ｂと補強部材４４１を一体化して構成しているため、ドラム式洗濯機１００の製造時の組み立てにかかる手間を低減することができ、生産性に優れる。
【００２９】
（第３実施形態）
次に、第３実施形態について説明する。図５はドラム１０及びサスペンション７下部周辺の構成を説明するための図であり、図２と同様に、理解しやすいように、ドラム式洗濯機１００のドラム１０、サスペンション７、及び台板４０の周辺を抜き出して描いた図である。第１及び第２実施形態と同一の構成部位には同一の符号を付し、説明を省略する。
【００３０】
図５に示すように、第３実施形態においては、左右に設けられたサスペンション７の支持板４２ｃが、補強部材５００によって差し渡すように連結固定されている。補強部材５００は、例えば板状の形状を有する部材でもよく、あるいは、棒状又は角材状の形状を有する部材でもよい。また、材質も合成樹脂や金属（例えば、ステンレス）など、必要に応じて採用できる。
【００３１】
補強部材５００は、サスペンション７の取り付け位置に近い箇所を含む位置に配置されて取り付けられている。支持板４２ｃは、台部４１上部において、補強部材５００とネジ３６により共締めされている。補強部材５００の他方の端は、同様に、図中において右のサスペンション７の下部に設けられた支持板４２ｃ及び台部４１に、同様に固定されている。
【００３２】
図６は、左側のサスペンション７の下部周りの構成を拡大して描いた図である。右側のサスペンション７においても同様の構造であるため、これについての図示及び説明は省略する。補強部材５００は、その左端の、台部４１上に固定される部分が肉薄となっている部分５００ａを有する。部分５００ａ以外の部分は、肉厚な部分５００ｂとなっており、補強部材５００は、部分５００ａ、５００ｂにより構成される。
【００３３】
部分５００ａにおいて、補強部材５００はネジ穴を有している。支持板４２ｃも同様にネジ穴を有している。支持板４２ｃと補強部材５００は、この部分でネジ３６によって台部４１に共締め固定される。台板４０に設けられた台部４１及び支持板４２ｃを一体とした支持台４３ｃと見做せば、サスペンション７は支持台４３ｃに固定されている、と見ることができる。
【００３４】
この構成により、左右両側の支持板４２ｃは、補強部材５００により連結されて固定される。これにより、補強部材５００は梁として機能し、左右の支持板４２ｃを強固に固定することができ、構造的により強化された構造となる。本実施形態は、支持板４２ｃに、この周りの弾性変形を抑制する補強部材５００を付加し、支持板４２ｃの動きを効果的に抑制しようとするものである。従って、この部分での弾性変形量を小さくすることができるため、防振クッション３４ａ、３４ｂの振動低減効果を効果的に向上させることができる。これによって、例えば、すりこぎ運動のような横方向、水平方向の振動を効果的に抑制することができる。
【００３５】
また、上記構成によれば、補強部材５００の一方は台部４１に支持板４２ｃとともに共締め固定されるため、補強部材５００は台板４０の底面部に固定されることがない。これにより、台板４０に振動を伝達する経路が減るため、台板４０の振動を低減することができる。以上より、ドラム式洗濯機１００全体の振動が低振動となり、ひいては、ドラム式洗濯機１００の脱水性能を向上することができる。
【００３６】
なお、第３実施形態では、左右のサスペンション７下部の支持板４２ｃを補強部材５００により連結固定する例を示したが、一方は上述の構成とし、他方は、例えば台板４０の横壁部に固定のための構造体を形成しておき、これに補強部材５００を固定することとしてもよい。
【００３７】
（第４実施形態）
次に、第４実施形態について説明する。図７は、第４実施形態に係るドラム式洗濯機１００のサスペンション７下部の取り付け部を拡大して描いた図である。第１から第３実施形態と同一の構成部位には同一の符号を付し、説明を省略する。左側のみを描いているが、右側も同じ構造であるため、右側の図示及び説明は省略する。
【００３８】
図７に示すように、第４実施形態では、支持板４２ｄと補強部材５０１は１つの部品として一体に構成されており、ネジ３６により、台部４１に固定されている。第３実施形態と同じく、補強部材５０１は部分５０１ａ、及び５０１ｂを有している。
【００３９】
本実施形態は、支持板４２ｄに、この周りの弾性変形を抑制する補強部材５０１を付加し、支持板４２ｄの動きを効果的に抑制しようとするものである。台板４０に設けられた台部４１及び支持板４２ｄを一体とした支持台４３ｄと見做せば、サスペンション７は支持台４３ｄに固定されている、と見ることができる。
【００４０】
以上の構成によれば、第３実施形態と同様の効果を得ることができる。さらに、支持板４２ｄと補強部材５０１が一体的に構成されたことにより、より横方向の振動が低減される。これにより、ドラム式洗濯機１００はより低振動となり、脱水性能の向上を図ることができる。また、支持板４２ｄと補強部材５０１を一体化して構成しているため、ドラム式洗濯機１００の製造時の組み立てにかかる手間を低減することができ、生産性に優れる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
図面中、６は水槽、１０はドラム、７はサスペンション、４０は台板、４１は台部、４２ａ、４２ｂ、４２ｃ、４２ｄは支持板（金具）、４３ａ、４３ｂ、４３ｃ、４３ｄは支持台、３４ａ、３４ｂは防振クッション、４４０、４４１、５００、５０１は補強部材、３６、４６はネジを示す。
【図１】
0006598471.tif 000002
【図２】
0006598471.tif 000003
【図３】
0006598471.tif 000004
【図４】
0006598471.tif 000005
【図５】
0006598471.tif 000006
【図６】
0006598471.tif 000007
【図７】
0006598471.tif 000008